(57)【特許請求の範囲】
【請求項１】
相互に接合される軒樋の端部間の内側に上方から嵌め込まれて接着固定される軒樋内継手であって、軒樋の内面に沿った継手本体の両端側部外面を接着剤塗布部となし、該両接着剤塗布部間で同継手本体の外面に周方向の略全長にわたり接着剤塗布部からの余剰接着剤を受け収容する帯状浅溝の接着剤逃がし用凹溝を形成し、接着剤塗布部に接着剤逃がし用凹溝よりも巾狭の接着剤塗布用凹溝を周方向の略全長にわたって複数並設形成するとともに、前記接着剤逃がし用凹溝部分に、相互に接合される軒樋の両端部間が位置するように、接着剤逃がし用凹溝を同継手本体の外面中央に連続形成してなる軒樋内継手。
【請求項２】
継手本体の両上端部分に軒樋の両上縁耳部に内側から係止される軒樋耳係合部を配設形成したことを特徴とする請求項１記載の軒樋内継手。
【発明の詳細な説明】
【０００１】
【発明の属する技術分野】
本願発明は、相互に接合される軒樋の端部間の内側に上方から嵌め込まれて接着固定される軒樋内継手に関するものである。
【０００２】
【従来の技術】
従来から、図６に示す如く、相互に接合される軒樋（図示せず）の端部間の内側に上方から嵌め込まれて接着固定される内継手部材２２が知られており、このような場合には一般に、同軒樋の外側に下方から外継手部材２３が嵌合固定されるものである。ここで、軒樋は内継手部材２２と外継手部材２３とで挟持されて接着結合され、その際に、該内継手部材２２の外面と同軒樋の内面との間に塗布介在された接着剤の表側への漏出が防止され、該接着剤を多量に使用することで接着強度を向上させることもできる。
【０００３】
すなわち、この場合、内継手部材２２の外面と軒樋の内面との間に接着剤を多量に塗布介在させても、余剰の接着剤は両軒樋の端部間から漏出し、該漏出した余剰接着剤を介在利用して同軒樋の外側に外継手部材２３を強固に嵌合固定することができる。その際、漏出した余剰接着剤が外継手部材２３で覆い隠されて表側には漏出露出せず、施工仕上がり外観に支障を来すことがない。
【０００４】
又、この場合には、施工仕上がり外観をより向上させようと、軒樋の表側に露出する外継手部材２３が目立たないようできるだけ巾狭状に形成され、嵌合固定強度は主として、巾広状に形成された内継手部材２２を軒樋の内面に嵌合接着することにより得られるものであり、そのため、同巾狭状の外継手部材２３の両側から前記余剰接着剤が漏出しないよう、多量といえども制限された量の接着剤しか使用できないという不都合を生じるものであった。
【０００５】
又、図７に示す如く、相互に接合される軒樋１の端部間の内側に上方から嵌め込まれて接着固定される軒樋内継手も知られており、該軒樋内継手は、同軒樋１の内面に沿った継手本体２で形成されている。この場合、上記図６に示した従来例の如く、外継手部材２３を用いないので、軒樋１の表側に露出する部材が存在せず、施工仕上がり外観は良好となる。
【０００６】
しかしながら、この場合は、内側の継手本体２だけで嵌合固定強度を得るものであるため、該嵌合強度を高めるために、同継手本体２の外面と軒樋１の内面との間に多量の接着剤を塗布介在させることがあり、その際、余剰接着剤Ｓは直接に両同軒樋１の端部間から漏出してしまい、前記良好な施工仕上がり外観に支障を来すものであった。
【０００７】
【発明が解決しようとする課題】
本願発明は、上記従来の技術における問題を悉く解決するためになされたもので、その課題は、軒樋の端部同士を簡単に接続することができ、接続される両軒樋の端部同士は強固に接着固定され、しかも、余剰接着剤を生じても有効活用されて両同軒樋の端部間から表側へ漏出せず、良好な施工仕上がり外観が得られる軒樋内継手を提供することである。
【０００８】
【課題を解決するための手段】
本願請求項１記載の発明に係る軒樋内継手は、相互に接合される軒樋の端部間の内側に上方から嵌め込まれて接着固定されるものであって、軒樋の内面に沿った継手本体の両端側部外面を接着剤塗布部となし、該両接着剤塗布部間で同継手本体の外面に周方向の略全長にわたり接着剤塗布部からの余剰接着剤を受け収容する帯状浅溝の接着剤逃がし用凹溝を形成し、接着剤塗布部に接着剤逃がし用凹溝よりも巾狭の接着剤塗布用凹溝を周方向の略全長にわたって複数並設形成するとともに、前記接着剤逃がし用凹溝部分に、相互に接合される軒樋の両端部間が位置するように、接着剤逃がし用凹溝を同継手本体の外面中央に連続形成してなる。
【０００９】
したがって、この場合、継手本体の両端側部外面が接着剤塗布部とされて、該両側の接着剤塗布部には必要に応じて接着剤を多量に塗布することができ、そして、相互に接合される軒樋の端部間の内側に同継手本体を上方から嵌め込んで容易に接着固定することができ、該継手本体を介しての両同軒樋の端部同士の接続作業は簡単で且つ強固に接着固定されるものとなる。
【００１０】
しかも、前記両接着剤塗布部間で継手本体の外面には周方向の略全長にわたる接着剤逃がし用凹溝が形成されているため、同両接着剤塗布部に接着剤が多量に塗布されて余剰接着剤を生じても、該余剰接着剤は同接着剤逃がし用凹溝内に収容され接着強度に寄与して有効に活用される。又、余剰接着剤が接着剤逃がし用凹溝内に収容されることで、該余剰接着剤は両軒樋の端部間から表側へ漏出し難くなって、良好な施工仕上がり外観を得ることができる。
【００１２】
さらに、接着剤塗布部に接着剤塗布用凹溝が周方向の略全長にわたって複数並設形成されているため、接着剤を同接着剤塗布用凹溝に沿って塗布することによって、該接着剤は同接着剤塗布部で略均等に塗布されて安定した接着固定状態を得ることができる。しかも、接着剤塗布用凹溝は前記接着剤逃がし用凹溝よりも巾狭であって、必要以上の接着剤塗布が制限防止され、余剰接着剤の発生は所定量以下に抑えられて、該余剰接着剤の漏出を確実に防止することができる。
【００１３】
本願請求項２記載の発明に係る軒樋内継手は、上記請求項１記載の軒樋内継手において、継手本体の両上端部分に軒樋の両上縁耳部に内側から係止される軒樋耳係合部を配設形成したことを特徴とする。
【００１４】
したがって、この場合は特に、継手本体の両上端部分に軒樋の両上縁耳部に内側から係止される軒樋耳係合部が配設形成されているため、両同軒樋の端部間の内側に上方から嵌め込まれた際に、同継手本体の両軒樋耳係合部は同軒樋の両上縁耳部に内側から係止され、接着剤が硬化するまで安定した嵌合状態で保持されて、より確実な接着固定状態とされる。
【００１５】
【発明の実施の形態】
図１〜５は、本願請求項１及び２に対応する一実施形態を示し、該実施形態の軒樋内継手は、相互に接合される軒樋１の端部間の内側に上方から嵌め込まれて接着固定されるものであって、軒樋１の内面に沿った継手本体２の両端側部外面を接着剤塗布部３となし、該両接着剤塗布部３間で同継手本体２の外面に周方向の略全長にわたり接着剤塗布部３からの余剰接着剤を受け収容する帯状浅溝の接着剤逃がし用凹溝４を形成し、接着剤塗布部３に接着剤逃がし用凹溝４よりも巾狭の接着剤塗布用凹溝５を周方向の略全長にわたって複数並設形成するとともに、前記接着剤逃がし用凹溝４部分に、相互に接合される軒樋１の両端部間が位置するように、接着剤逃がし用凹溝４を同継手本体２の外面中央に連続形成してなる。又、継手本体２の両上端部分に軒樋１の両上縁耳部６に内側から係止される軒樋耳係合部７を配設形成してもいる。
【００１６】
軒樋１は、図３に示す如く、上方に開口した断面略コ字状角型で、例えば、合成樹脂で押出成形したり、合成樹脂層内に金属薄板をインサート成形した素材板に曲げ加工を施したりして形成される。軒樋１は底壁部８と前壁部９と後壁部１０とでなり、同前壁部９が後壁部１０よりも高く形成されると共に該前壁部９は前方へ傾倒していて、同後壁部１０が略直立状に起立している。前壁部９及び後壁部１０の上端縁には各々中空状の上縁耳部６が一体に形成されており、後側の上縁耳部６は内方へ突設されてその下側に溝型部１１が形成され、前側の上縁耳部６は内方へ折れ込んでいてその外側に下方へ開口した隙間溝部１２が形成されている。
【００１７】
前壁部９の下端付近には、デザイン性を高めるため及び水切り機能を付与するために、内方へ略Ｌ字状に屈曲突出した凹段部１３が形成されている。そして、前壁部９の表面には凹凸状の模様部１４が形成されており、該模様部１４は同前壁部９の凹段部１３の上側から該前壁部９の上端縁にわたって設けられている。又、模様部１４は水平方向の断面山型凸条を上下に複数並設したもので、軒先のデザイン性を向上させると共に、各断面山型凸条で水切り機能が発揮される。
【００１８】
軒樋内継手は合成樹脂にて一体に射出成形されたもので、前記軒樋１の内面に沿った継手本体２が主体となり、該継手本体２は底辺部１５と前辺部１６と後辺部１７とでなる。継手本体２は前記軒樋１の形状に対応して、その前辺部１６が後辺部１７よりも高く形成されると共に該前辺部１６は前方へ傾倒しており、同後辺部１７が略直立状に起立している。又、継手本体２の両端側部では前辺部１６と後辺部１７との中腹部分間に略水平な架橋バー片２０が一体に架設形成されており、同継手本体２はその両端側部において特に、軒樋１の内側で確実に嵌合保持され強固に接着固定されるものである。
【００１９】
そして、継手本体２の前辺部１６の上端縁には凸起状の軒樋耳係合部７が形成され、該軒樋耳係合部７の内側には上方へ略Ｌ字状に折曲突出した補助係合片部１８が一体に延設されており、該軒樋耳係合部７及び補助係合片部１８は同継手本体２の略全長にわたり連続して形成され、同補助係合片部１８の先端中程部分には更に外方へ折曲突出した操作片部１９が一体に延設されている。又、継手本体２の後辺部１７の上端縁両側には、内方へ折曲した凸片状の軒樋耳係合部７が配設形成されている。
【００２０】
この場合、図４に示す如く、後側の凸片状の軒樋耳係合部７は前記軒樋１の後側の溝型部１１に内方下側から挿入係止され、前側の凸起状の軒樋耳係合部７が前記軒樋１の前側の隙間溝部１２に内方下側から挿入係止されて、その際、同軒樋１の前側の上縁耳部６は前記補助係合片部１８にも包囲されるように係合される。逆に、接着剤が塗布されていない状態で継手本体２を軒樋１の端部内側から取り外す際には、操作片部１９を内側へ倒すように変形させて前側の軒樋耳係合部７を隙間溝部１２から外し、その後、後側の軒樋耳係合部７を溝型部１１から外して、容易な作業で取り外すことができる。
【００２１】
又、接着剤逃がし用凹溝４は継手本体２の前辺部１６、底辺部１５、後辺部１７の外面中央に連続して形成され、例えば、溝巾寸法約２０ｍｍ、溝深さ寸法約０．５ｍｍに設定されて、同外面の周方向略全長にわたり（前後両側の軒樋耳係合部７よりも下方の略全範囲）帯状浅溝として形成されている。接着剤逃がし用凹溝４両外側の継手本体２の外面は接着剤塗布部３となるのであるが、ここでは、該各接着剤塗布部３に二条の接着剤塗布用凹溝５が並設形成されている。
【００２２】
この場合、各接着剤塗布用凹溝５は断面略Ｖ字溝として形成され、前記接着剤逃がし用凹溝４と同様に、継手本体２の外面に周方向略全長にわたって並設されている。二条の接着剤塗布用凹溝５間には接着剤補助溜まり溝２１が形成されており、該接着剤補助溜まり溝２１は同接着剤塗布用凹溝５と同様に断面略Ｖ字溝として形成されている。該接着剤補助溜まり溝２１は継手本体２の底辺部１５の全巾にわたって形成され、前辺部１６では軒樋１の凹段部１３に対応する部位より若干上側にまで延設され、後辺部１７でも同前辺部１６と略同一高さにまで延設されている。
【００２３】
前記二条の接着剤塗布用凹溝５は接着剤塗布部３にて相互に適切な間隔で並設され、両接着剤塗布用凹溝５に対応する量の接着剤を各接着剤塗布用凹溝５に沿って塗布することにより、該接着剤が各接着剤塗布部３に略同量づつ且つ略均等に安定して塗布される。そして、図５に示す如く、接着強度を高めるために接着剤の塗布量を増加させても、余剰接着剤Ｓは前記接着剤逃がし用凹溝４で受けられて吸収されるため、該余剰接着剤Ｓの両軒樋１の端部間表側への溢出漏出が防止される。
【００２４】
なお、その際、前記の如く、継手本体２がその両端部において強く嵌合保持されるため、外側の接着剤塗布用凹溝５からの溢出した接着剤も内側へと流動するが、ここでは、該溢出した接着剤が前記接着剤補助溜まり溝２１で予備的に受けられて、前記余剰接着剤Ｓの表側への漏出は確実に防止される。又、この場合、前記余剰接着剤Ｓを受ける接着剤逃がし用凹溝４に容積的な余裕があれば、前記接着剤補助溜まり溝２１に接着剤を塗布しても支障はなく、軒樋１の底壁部８からの漏出が確実に防止されるようになる。
【００２５】
したがって、該実施形態の軒樋内継手においては、継手本体２の両端側部外面が接着剤塗布部３とされて、該両側の接着剤塗布部３には必要に応じた適切な多量の接着剤を塗布することができ、そして、相互に接合される軒樋１の両端部間の内側に同継手本体２を上方から嵌め込んで容易に接着固定することができ、該継手本体２を介しての両同軒樋１の端部同士の接続作業は簡単で且つ強固に接着固定されるものとなる。
【００２６】
しかも、前記両接着剤塗布部３間で継手本体２の外面には周方向の略全長にわたる接着剤逃がし用凹溝４が形成されているため、同両接着剤塗布部３に接着剤が多量に塗布されて余剰接着剤Ｓを生じても、該余剰接着剤Ｓは同接着剤逃がし用凹溝４内に収容され接着強度に寄与して有効に活用される。又、余剰接着剤Ｓが接着剤逃がし用凹溝４内に収容されることで、該余剰接着剤Ｓは両軒樋１の端部間から表側へ漏出し難くなって、接続部位に違和感のない良好な施工仕上がり外観を得ることができる。
【００２７】
更に、この場合、接着剤塗布部３に接着剤塗布用凹溝５が周方向の略全長にわたって複数並設形成されているため、接着剤を同接着剤塗布用凹溝５に沿って塗布することによって、該接着剤は各接着剤塗布部３で略均等に分散塗布されて安定した接着固定状態を得ることができる。しかも、接着剤塗布用凹溝５は前記接着剤逃がし用凹溝４よりも巾狭であるため、必要以上の接着剤塗布が制限防止され、余剰接着剤Ｓの発生は所定量以下に抑えられて、該余剰接着剤Ｓの漏出を確実に防止することができる。
【００２８】
又、この場合、図４に示す如く、継手本体２の両上端部分に軒樋１の両上縁耳部６に内側から係止される軒樋耳係合部７が配設形成されているため、両同軒樋１の両端部間の内側に上方から嵌め込まれた際に、同継手本体２の両軒樋耳係合部７は同軒樋１の両上縁耳部６に内側から係止され、接着剤が硬化するまで安定した嵌合状態で保持されて、より確実な接着固定状態とされる。又、接着剤塗布用凹溝５に沿って塗布された接着剤は上方から嵌め込まれる際に、その余剰接着剤Ｓ以外が剥ぎ取られることなく残存し、該残存した接着剤によって十分な嵌合接着状態が得られる。それ故、接着剤によって継手本体２の外面と両軒樋１の端部内面との間の隙間は密閉封止され、水漏れが確実に防止されるものである。
【００２９】
【発明の効果】
上述の如く、本願請求項１記載の発明に係る軒樋内継手においては、接着剤塗布部に必要に応じて接着剤を多量に塗布することができ、そして、軒樋の端部間の内側に継手本体は上方から嵌め込まれて簡単且つ強固に接着固定される。しかも、接着剤が多量に塗布されて余剰接着剤を生じても、該余剰接着剤は接着剤逃がし用凹溝内に収容され接着強度に寄与して有効に活用され、同余剰接着剤が両軒樋の端部間から表側へ漏出し難くなって、良好な施工仕上がり外観を得ることもできる。
【００３０】
又、接着剤を接着剤塗布用凹溝に沿って塗布することにより、該接着剤が接着剤塗布部で略均等に塗布されて安定した接着固定状態を得ることができ、しかも、接着剤塗布用凹溝は前記接着剤逃がし用凹溝よりも巾狭であって、必要以上の接着剤塗布が制限防止され、余剰接着剤の発生は所定量以下に抑えられて、該余剰接着剤の漏出を確実に防止することができる。
【００３１】
又、本願請求項２記載の発明に係る軒樋内継手においては、特に、継手本体が両軒樋の端部間の内側に上方から嵌め込まれた際に、同継手本体の両軒樋耳係合部は同軒樋の両上縁耳部に内側から係止され、接着剤は安定した嵌合状態のもとで硬化して、より確実な接着固定状態とされる。
【図面の簡単な説明】
【図１】本願発明の一実施形態である軒樋内継手を示す斜視図。
【図２】同軒樋内継手を示す正面図。
【図３】同軒樋内継手にて接続される軒樋を示す側面図。
【図４】同軒樋内継手の施工状態を示す（ａ）は嵌め込み途中の側面図、（ｂ）は嵌め込み後の側面図。
【図５】同軒樋内継手の施工状態における余剰接着剤の移動を示す正面図。
【図６】従来例である内継手部材２２と外継手部材２３とでなる軒樋継手を示す斜視図。
【図７】別の従来例である軒樋内継手の施工状態を示す斜視図。
【符号の説明】
１  軒樋
２  継手本体
３  接着剤塗布部
４  接着剤逃がし用凹溝
５  接着剤塗布用凹溝
６  上縁耳部
７  軒樋耳係合部
【図１】
0003624866.tif 000002
【図２】
0003624866.tif 000003
【図３】
0003624866.tif 000004
【図４】
0003624866.tif 000005
【図５】
0003624866.tif 000006
【図６】
0003624866.tif 000007
【図７】
0003624866.tif 000008